(57)【要約】      （修正有）【課題】身軽に身につけて持ち歩くことができ、携帯用拡声器の使用前、使用後は、簡単に折りたたんで小型の平板形状体となし、衣服のポケット等に収納して携帯することの可能な携帯用拡声器を提供する。【解決手段】化粧筺体の基部ハンドルから突出して設けられる二本の支持アーム間に音源が面音源タイプの平板スピーカーを挟持して回動可能に取り付けて前記基部ハンドルに内蔵されたマイクロホン、増幅器、並びに乾電池や蓄電池からなる電源装置に接続されて拡声器を構成する。【選択図】図１ｄ
2008099062.tif 000002
【特許請求の範囲】
【請求項１】
拡声器の外観形状を形付ける化粧筺体は二本の支持アームを基部ハンドルから突出した形状のコの字形状化粧筺体を形成し、
該コの字形状化粧筺体の基部ハンドル内部にはマイクロホン、増幅器、並びに乾電池や蓄電池からなる電源装置を内蔵し、
該コの字形状化粧筺体の基部ハンドルから突出して設けられる前記二本の支持アーム間に音源が面音源タイプの平板スピーカーを挟持して回転軸を介して回動可能に取り付けて前記基部ハンドルに内蔵されたマイクロホン、増幅器、並びに乾電池や蓄電池からなる電源装置に接続されて拡声器を構成し、
該拡声器を使用する際に話し手は基部ハンドルを握って前記平板スピーカーを支持アーム間で略９０度回動操作することで該平板スピーカーの表面を話し相手側に向けるとともに基部ハンドル部に内蔵されたマイクロホンに音声を入力し拡声された音声を平板スピーカーを介して提供可能となし、
また、前記拡声器を持ち運ぶ際には前記平板スピーカーを支持アーム間で回動操作して二本の支持アーム間に納めることにより全体として拡声器が小型の平板形状体となり、
該平板形状体の拡声器は上着や作業服のポケットに挿入して持ち運び可能な大きさに設定されていること、
を特徴とする携帯用拡声器。
【請求項２】
拡声器の外観形状を形付ける化粧筺体は該化粧筺体の一端側縁部に厚さのある突部と該突部から段差を有して比較的薄厚部からなる平板スピーカー収納部兼用基部ハンドル有しており、
該平板スピーカー収納部兼用基部ハンドルからなる化粧筺体には音源が面音源タイプの平板スピーカーを化粧筺体の他端に丁番、或いは回転軸を介して折りたたみ、または立設可能に設置し、
該化粧筺体は前記平板スピーカーを折りたたんだときの全体形状が平板形状体となるよう形成され、  
前記一端側縁部に設けられた化粧筺体の突部、並びに平板スピーカー収納部兼用基部ハンドルの内部にはマイクロホン、増幅器、並びに乾電池や蓄電池からなる電源装置を内蔵し、
前記平板スピーカーは化粧筺体の突部、並びに平板スピーカー収納部兼用基部ハンドルに内蔵されたマイクロホン、増幅器、並びに乾電池や蓄電池からなる電源装置に接続されて拡声器を構成し、
該拡声器を使用する際に話し手は平板スピーカー収納部兼用基部ハンドルを握って前記平板スピーカーを保持し該平板スピーカーを化粧筺体の他端で略９０度回動する立設操作することで該平板スピーカーの表面を話し相手側に向けるとともに該基部ハンドル部に内蔵されたマイクロホンに音声を入力し拡声された音声を平板スピーカーを介して提供可能となし、
また、前記拡声器を持ち運ぶ際には前記平板スピーカーを折りたたんでで平板スピーカー収納部兼用基部ハンドル内に納めることにより全体として拡声器が小型の平板形状体となり、
該平板形状体の拡声器は上着や作業服のポケットに挿入して持ち運び可能な大きさに設定されていること、
を特徴とする携帯用拡声器。
【請求項３】
拡声器の外観形状を形付ける化粧筺体は該化粧筺本体に対して任意に摺動して伸長可能なハンドルと二本の支持アームを突出した形状のコの字形状化粧筺本体からなり、
該コの字形状化粧筺本体の内部にはマイクロホン、並びに乾電池や蓄電池からなる電源装置を内蔵し、
該コの字形状化粧筺本体の上下端部から突出して設けられる前記二本の支持アーム間に音源が面音源タイプの平板スピーカーと平板形状の増幅器を挟持しそれぞれ回転軸を介して回動可能に取り付けられており前記化粧筺本体と平板形状の増幅器に内蔵されたマイクロホン、増幅器、並びに乾電池や蓄電池からなる電源装置に接続されて拡声器を構成し、
該拡声器を使用する際に話し手は化粧筺本体に取り付けられたハンドルを握って前記平板形状スピーカーと平板形状の増幅器を開口し互いに支持アーム間で平板スピーカーと平板形状の増幅器を略９０度回動操作することで該平板スピーカーの表面を話し相手側に向けるとともに化粧筺本体に内蔵されたマイクロホンに音声を入力し拡声された音声を平板スピーカーを介して提供可能となし、
また、前記拡声器を持ち運ぶ際には前記平板スピーカーと増幅器を支持アーム間で回動操作して閉じることにより該支持アーム間に納め全体として拡声器が小型の平板形状体となり、
該平板形状体の拡声器は上着や作業服のポケットに挿入して持ち運び可能な大きさに設定されていること、
を特徴とする携帯用拡声器。
【請求項４】
前記拡声器は上着や作業服にポケットに挿入して持ち運び平板スピーカーを支持アーム間で略９０度回動操作した状態や、平板スピーカーを化粧筺体の他端で略９０度回動する立設した状態、並びに平板形状スピーカーと平板形状の増幅器を開口し互いに支持アーム間で平板スピーカーと平板形状の増幅器を略９０度回動操作した状態より、机上や演台に安定して載せ置くことが可能で、
該机上や演台に載せ置いた状態にて拡声器として使用できること、
を特徴とする請求項１乃至請求項３の何れかに記載された携帯用拡声器。
【請求項５】
前記拡声器の大きさは全体として上着や作業服のポケットに入る大きさより幾分大きくＢ５版乃至Ａ４版程度のブック形状平板形状体となし、
該平板形状体の拡声器は紐やベルトを介して使用者が肩に掛けて携帯し、または持ち運びをすると共に、該拡声器を使用するに際しては肩掛けや首や手首に掛けて保持し、或いはリックサック等に取り付けて拡声器本体を保持し話声を拡声して伝えること、
を特徴とする請求項１乃至請求項３の何れかに記載された携帯用拡声器。
【請求項６】
前記拡声器の大きさはＢ５版乃至Ａ４版程度の大きさに構成することにより平面スピーカー裏面に増幅器や乾電池や蓄電池からなる電源装置を内蔵でき、
該平面スピーカーをカバーする化粧筺体を介して全体形状が平板形状体とすること、
を特徴とする請求項５に記載された携帯用拡声器。
【請求項７】
前記拡声器の大きさはＢ５版乃至Ａ４版程度の大きさに構成し平面スピーカー裏面に増幅器や乾電池や蓄電池からなる電源装置を内蔵し、
該平面スピーカーをカバーする化粧筺体を介して全体形状が平板形状体となし、
該平面形状体の拡声器を２枚一組となしそれぞれの端部を丁番、或いは回転軸を介して折りたたみ、または開閉可能に構成したこと、
を特徴とする請求項４または請求項５の何れかに記載された携帯用拡声器。
【請求項８】
平板形状体を形成した平板スピーカーを有する携帯用拡声器は壁面に壁掛け用として取り付け可能に構成したこと、
を特徴とする請求項６乃至請求項７の何れかに記載された携帯用拡声器。
【請求項９】
前記携帯用拡声器はスタンドや三脚によって床面や机上に設置された状態で拡声器として使用できること、
を特徴とする請求項１乃至請求項８の何れかに記載された携帯用拡声器。
【請求項１０】
前記拡声器に使用されるマイクロホンはコードレスマイクやコードレスのハンドフリーマイクを用いること、
を特徴とする請求項１乃至請求項９の何れかに記載された携帯用拡声器。
【発明の詳細な説明】
【技術分野】
【０００１】
本発明は、簡単に折りたたんで小型の平板形状体となし、衣服のポケット等に収納して携帯することの可能な携帯用拡声器に関するものである。
また、本発明は、簡単に折りたたんで比較的小型で薄厚の平板形状体となし、該平板形状体は紐やベルトを介して肩に掛けて携帯することの可能な携帯用拡声器に関するものである。
【背景技術】
【０００２】
従来の携帯用拡声器は、全体形状が略円錐形のメガホン形状を有し、その前面にコーン型のスピーカーを配置し、後部に該スピーカーに接続された増幅器や、乾電池または蓄電池等の電源、そして、マイクロホンを配置したものが用いられている。
【０００３】
而して、従来の携帯用拡声器は、携帯には不向きの非常に持ちづらい略円錐形のメガホン形状を有しており、また、携帯用拡声器本体自体が結構重いのでメガホン形状の曲面部に吊り下げ式の携帯用の取っ手を設けた構成が一般的である。
【０００４】
従って、前記従来型の携帯用拡声器を使用する話し手は、片手で拡声器本体の取っ手を握り拡声器を保持し、他方の手でループ形状のコードを介して外付けされたマイクロホンを口元付近に持ち運んで話を拡声して伝えている。
【０００５】
また、上述した従来型の携帯用拡声器は、コーン型スピーカーの直径が大きく、増幅器の出力を上げて、より遠くまで話し声を伝達できるように構成したものであり、スピーカーや増幅器、並びに乾電池や蓄電池等の電源装置と外観化粧カバーを含めた拡声器本体の重量はかなりのものになり、前記従来型の携帯用拡声器を用いた話し手は、携帯用拡声器本体を床面に置いてしまったり、他人に持ってもらって、話を進める光景がよく見られる。
【０００６】
そして、上記、従来型の携帯用拡声器の欠点を解決するために、コーン型スピーカーの直径を小さくしたり、増幅器の出力を下げて軽量化を図ると共に、メガホン形状の曲面部から下方に突出する拡声器用ホルダーを設けた構成となし、該拡声器用ホルダーを携帯用拡声器の使用者が片手で持って拡声器を保持し、該携帯用拡声器の端部に内蔵されたマイクロホンにて話を拡声して伝える携帯用拡声器も製作されている。
【０００７】
尚、前記携帯用拡声器の拡声器用ホルダーは、多くの場合、中空形状を有しており、該ホルダー内部に乾電池や蓄電池等の電源装置収納部を兼用して設けているものが多い。
【０００８】
斯くして、従来型の携帯用拡声器は、電源装置として、乾電池や充電型の蓄電池を用いることにより持ち歩いて使用することができるものであり、その意味では、携帯用の拡声器と云えるものであるが、持ちづらくて重いだけではなく、両手で操作したり、音質の悪さが大きな欠点となっている。
【０００９】
然しながら、近時において、携帯用の拡声器とは、もっと身軽に身につけて持ち歩くことができ、好ましくは、携帯用拡声器の使用前、使用後は、簡単に折りたたんで小型の平板形状体となし、衣服のポケット等に収納して携帯することの可能な携帯用拡声器であること、或いは、携帯用拡声器の使用前、使用後は、簡単に折りたたんで比較的小型で薄厚の平板形状体となし、該平板形状体は紐やベルトを介して肩に掛けて携帯することの可能な携帯用拡声器であることが好ましい。
【００１０】
また、従来型の携帯用拡声器は、音源が点と見なされる通常のコーンスピーカーを使用しており、基本の使用目的として話声を増幅器で大きくして、より遠くまで届けるもので、音量を大きくすると音源、即ち、スピーカーの近傍に位置する人々は、大きな音を受けることになり、耳鳴りで疲れることになる他、遠くに位置する人々は、音量としては聞こえるが音域が崩れ始めると低音域がすくなくなり、例えば、音の歯切れが悪く言葉の語尾が聞き取りにくいと云う音質の悪さ等、多くの欠点がある。
【００１１】
而して、従来型の携帯用拡声器のスピーカーは、前述の如く音源が点と見なされる通常のコーンスピーカーを使用しているのに対して、本発明は、例えば、特許第３１９２３７２号公報の如く、音源が面音源タイプの平板スピーカーを使用することにより、該平板スピーカーからの距離による音の拡散や音の大きさの減衰が少なく音質を著しく改善した携帯用拡声器を提供するものである。
【００１２】
また、本発明に使用される平板スピーカー本体の形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカーが製作でき、該平板スピーカーを組み込んだ携帯用拡声器は、簡単に折りたたんで小型の平板形状体となし、衣服のポケット等に収納して携帯することの可能な携帯用拡声器を提供するものである。
【特許文献１】特許第３１９２３７２号公報
【発明の開示】
【発明が解決しようとする課題】
【００１３】
而して、本発明は、上述した従来型の携帯用拡声器が有する欠点を解消し、音源が面音源タイプの平板スピーカーを採用することにより、該平板スピーカーからの距離による音の拡散や音の大きさの減衰が少なく音質を著しく改善した携帯用拡声器を提供するものである。
【００１４】
また、本発明に使用される平板スピーカー本体の形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカーが製作でき、該平板スピーカーを組み込んだ携帯用拡声器は、簡単に折りたたんで小型の平板形状体となし、衣服のポケット等に収納して携帯することの可能な携帯用拡声器を提供するものである。
【００１５】
また、本発明は、簡単に折りたたんで比較的小型で薄厚の平板形状体となし、該平板形状体は紐やベルトを介して肩に掛けて携帯することの可能な携帯用拡声器を提供するものである。
【００１６】
そして、本発明は、気軽に身につけて持ち運びが容易であり、また、一人で操作して使用できる携帯用拡声器を提供することで、該携帯用拡声器を使用する用途が拡大して、例えば、教員や保母さんの生徒や幼児引率に、そして、セミナー、研修、会議、建設現場での朝礼、キャンペーン、ツアーガイド、スポーツインストラクター、各種宣伝販売活動等の道具として利用されるばかりでなく、災害時の避難誘導や犯罪に巻き込まれたときの緊急発声手段として、或いは、声の出しづらい障害を持つ人や難聴者との携帯用会話補助装置として大いに役に立つ携帯用拡声器を提供するものである。
【課題を解決するための手段】
【００１７】
本発明において、拡声器の外観形状を形付ける化粧筺体は、二本の支持アームを基部ハンドルから突出した形状のコの字形状化粧筺体を形成し、該コの字形状化粧筺体の基部ハンドル内部にはマイクロホン、増幅器、並びに乾電池や蓄電池からなる電源装置を内蔵し、該コの字形状化粧筺体の基部ハンドルから突出して設けられる前記二本の支持アーム間に音源が面音源タイプの平板スピーカーを挟持して回転軸を介して回動可能に取り付けて前記基部ハンドルに内蔵されたマイクロホン、増幅器、並びに乾電池や蓄電池からなる電源装置に接続されて拡声器を構成した。
【００１８】
そして、本発明は、前記拡声器を使用する際に話し手は基部ハンドルを握って前記平板スピーカーを支持アーム間で略９０度回動操作することで該平板スピーカーの表面を話し相手側に向けるとともに基部ハンドル部に内蔵されたマイクロホンに音声を入力し拡声された音声を平板スピーカーを介して提供可能となし、また、前記拡声器を持ち運ぶ際には前記平板スピーカーを支持アーム間で回動操作して二本の支持アーム間に納めることにより全体として拡声器が小型の平板形状体となり、該平板形状体の拡声器は上着や作業服のポケットに挿入して持ち運び可能な大きさに設定されていることを特徴とする携帯用拡声器である。
【００１９】
また、本発明において、拡声器の外観形状を形付ける化粧筺体は、該化粧筺体の一端側縁部に厚さのある突部と該突部から段差を有して比較的薄厚部からなる平板スピーカー収納部兼用基部ハンドル有しており、該平板スピーカー収納部兼用基部ハンドルからなる化粧筺体には音源が面音源タイプの平板スピーカーを化粧筺体の他端に丁番、或いは回転軸を介して折りたたみ、または、立設可能に設置し、該化粧筺体は前記平板スピーカーを折りたたんだときの全体形状が平板形状体となるよう形成され、前記一端側縁部に設けられた化粧筺体の突部、並びに平板スピーカー収納部兼用基部ハンドルの内部にはマイクロホン、増幅器、並びに乾電池や蓄電池からなる電源装置を内蔵し、前記平板スピーカーは化粧筺体の突部、並びに平板スピーカー収納部兼用基部ハンドルに内蔵されたマイクロホン、増幅器、並びに乾電池や蓄電池からなる電源装置に接続されて拡声器を構成した。
【００２０】
そして、本発明は、前記拡声器を使用する際に話し手は、スピーカー収納部兼用基部ハンドルを握って前記平板スピーカーを保持し該平板スピーカーを化粧筺体の他端で略９０度回動する立設操作することで該平板スピーカーの表面を話し相手側に向けるとともに基部ハンドル部に内蔵されたマイクロホンに音声を入力し拡声された音声を平板スピーカーを介して提供可能となし、また、前記拡声器を持ち運ぶ際には前記平板スピーカーを折りたたんででスピーカー収納部兼用基部ハンドル内に納めることにより全体として拡声器が小型の平板形状体となり、該平板形状体の拡声器は上着や作業服のポケットに挿入して持ち運び可能な大きさに設定されていることを特徴とする携帯用拡声器である。
【００２１】
また、本発明において、拡声器の外観形状を形付ける化粧筺体は、該化粧筺本体に対して任意に摺動して伸長可能なハンドルと二本の支持アームを突出した形状のコの字形状化粧筺本体からなり、該コの字形状化粧筺本体の内部にはマイクロホン、並びに乾電池や蓄電池からなる電源装置を内蔵し、該コの字形状化粧筺本体の上下端部から突出して設けられる前記二本の支持アーム間に音源が面音源タイプの平板スピーカーと平板形状の増幅器を挟持しそれぞれ回転軸を介して回動可能に取り付けられており前記化粧筺本体と平板形状の増幅器に内蔵されたマイクロホン、増幅器、並びに乾電池や蓄電池からなる電源装置に接続されて拡声器を構成した。
【００２２】
そして、本発明は、前記拡声器を使用する際に話し手は、化粧筺本体に取り付けられたハンドルを握って前記平板形状スピーカーと平板形状の増幅器を開口し互いに支持アーム間で平板スピーカーと平板形状の増幅器を略９０度回動操作することで該平板スピーカーの表面を話し相手側に向けるとともに化粧筺本体に内蔵されたマイクロホンに音声を入力し拡声された音声を平板スピーカーを介して提供可能となし、また、前記拡声器を持ち運ぶ際には前記平板スピーカーと増幅器を支持アーム間で回動操作して閉じることにより該支持アーム間に納め全体として拡声器が小型の平板形状体となり、該平板形状体の拡声器は上着や作業服のポケットに挿入して持ち運び可能な大きさに設定されていることを特徴とする携帯用拡声器である。
【００２３】
また、本発明の拡声器は、上着や作業服にポケットに挿入して持ち運び平板スピーカーを支持アーム間で略９０度回動操作した状態や、平板スピーカーを化粧筺体の他端で略９０度回動する立設した状態、並びに平板形状スピーカーと平板形状の増幅器を開口し互いに支持アーム間で平板スピーカーと平板形状の増幅器を略９０度回動操作した状態より、机上や演台に安定して載せ置くことが可能で、該机上や演台に載せ置いた状態にて拡声器として使用できることを特徴とする携帯用拡声器である。
【００２４】
また、本発明において拡声器の大きさは、全体として上着や作業服のポケットに入る大きさより幾分大きくＢ５版乃至Ａ４版程度のブック形状平板形状体となし、該平板形状体の拡声器は紐やベルトを介して使用者が肩に掛けて携帯し、または持ち運びをすると共に、該拡声器を使用するに際しては肩掛けや首や手首に掛けて保持し、或いはリックサック等に取り付けて拡声器本体を保持し話声を拡声して伝えることを特徴とする携帯用拡声器である。
【００２５】
また、本発明において拡声器の大きさは、Ｂ５版乃至Ａ４版程度の大きさに構成することにより平面スピーカー裏面に増幅器や乾電池や蓄電池からなる電源装置を内蔵でき、該平面スピーカーをカバーする化粧筺体を介して全体形状が平板形状体とすることを特徴とする携帯用拡声器である。
【００２６】
また、本発明において拡声器の大きさは、Ｂ５版乃至Ａ４版程度の大きさに構成し平面スピーカー裏面に増幅器や乾電池や蓄電池からなる電源装置を内蔵し、該平面スピーカーをカバーする化粧筺体を介して全体形状が平板形状体となし、該平面形状体の拡声器を２枚一組となしそれぞれの端部を丁番、或いは回転軸を介して折りたたみ、または開閉可能に構成したことを特徴とする携帯用拡声器である。
【００２７】
また、本発明において平板形状体を形成した平板スピーカーを有する携帯用拡声器は、壁面に壁掛け用として取り付け可能に構成したことを特徴とする携帯用拡声器である。
【００２８】
また、本発明の拡声器は、スタンドや三脚によって床面や机上に設置された状態で拡声器として使用できることを特徴とする携帯用拡声器である。
【００２９】
更にまた、本発明において拡声器に使用されるマイクロホンは、コードレスマイクやコードレスのハンドフリーマイクを用いることを特徴とする携帯用拡声器である。
【発明の効果】
【００３０】
而して、従来型の携帯用拡声器のスピーカーは、音源が点と見なされる通常のコーンスピーカーを使用しているのに対して、本発明は、音源が面音源タイプの平板スピーカーを使用することにより、該平板スピーカーからの距離による音の拡散や音の大きさの減衰が少なく音質を著しく改善した携帯用拡声器を提供することができた。
【００３１】
また、本発明に使用される平板スピーカー本体の形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカーが製作でき、該平板スピーカーを組み込んだ携帯用拡声器は、簡単に折りたたんで小型の平板形状体となし、衣服のポケット等に収納して携帯することの可能な携帯用拡声器を提供することができた。
【００３２】
また、本発明は、簡単に折りたたんで比較的小型で薄厚の平板形状体となし、該平板形状体は、紐やベルトを介して肩に掛けて携帯することの可能な携帯用拡声器を提供することができた。
【００３３】
また、本発明は、気軽に身につけて持ち運びが容易であり、また、一人で操作して使用できる携帯用拡声器を提供することで、該携帯用拡声器を使用する用途が拡大して、例えば、教員や保母さんの生徒や幼児引率に、そして、セミナー、研修、会議、建設現場での朝礼、キャンペーン、ツアーガイド、スポーツインストラクター、各種宣伝販売活動等の道具として利用されるばかりでなく、災害時の避難誘導や犯罪に巻き込まれたときの緊急発声手段として、或いは、声の出しづらい障害を持つ人や難聴者との携帯用会話補助装置として大いに役に立つ携帯用拡声器を提供することができた。
【００３４】
更にまた、本発明の拡声器は、机上や演台上に載せ置いて使用できたり、壁に掛けて設置したり、スタンドや三脚等にも設置できるもので、その使用形態により本発明は非常に幅の広い携帯用拡声器を提供することができた。
【発明を実施するための最良の形態】
【００３５】
本発明における拡声器の外観形状を形付ける化粧筺体は、二本の支持アームを基部ハンドルから突出した形状のコの字形状化粧筺体を形成し、該コの字形状化粧筺体の基部ハンドル内部にはマイクロホン、増幅器、並びに乾電池や蓄電池からなる電源装置を内蔵し、該コの字形状化粧筺体の基部ハンドルから突出して設けられる前記二本の支持アーム間に音源が面音源タイプの平板スピーカーを挟持して回転軸を介して回動可能に取り付けて前記基部ハンドルに内蔵されたマイクロホン、増幅器、並びに乾電池や蓄電池からなる電源装置に接続されて拡声器を構成し、該拡声器を使用する際に話し手は基部ハンドルを握って前記平板スピーカーを支持アーム間で略９０度回動操作することで該平板スピーカーの表面を話し相手側に向けるとともに基部ハンドル部に内蔵されたマイクロホンに音声を入力し拡声された音声を平板スピーカーを介して提供可能となし、また、前記拡声器を持ち運ぶ際には前記平板スピーカーを支持アーム間で回動操作して二本の支持アーム間に納めることにより全体として拡声器が小型の平板形状体となり、
該平板形状体の拡声器は上着や作業服のポケットに挿入して持ち運び可能な大きさに設定されていることが好ましい。
【００３６】
また、本発明における拡声器の外観形状を形付ける化粧筺体は、該化粧筺体の一端側縁部に厚さのある突部と該突部から段差を有して比較的薄厚部からなる平板スピーカー収納部兼用基部ハンドル有しており、該平板スピーカー収納部兼用基部ハンドルからなる化粧筺体には音源が面音源タイプの平板スピーカーを化粧筺体の他端に丁番、或いは回転軸を介して折りたたみ、または立設可能に設置し、該化粧筺体は前記平板スピーカーを折りたたんだときの全体形状が平板形状体となるよう形成され、前記一端側縁部に設けられた化粧筺体の突部、並びに平板スピーカー収納部兼用基部ハンドルの内部にはマイクロホン、増幅器、並びに乾電池や蓄電池からなる電源装置を内蔵し、前記平板スピーカーは化粧筺体の突部、並びに平板スピーカー収納部兼用基部ハンドルに内蔵されたマイクロホン、増幅器、並びに乾電池や蓄電池からなる電源装置に接続されて拡声器を構成し、該拡声器を使用する際に話し手は平板スピーカー収納部兼用基部ハンドルを握って前記平板スピーカーを保持し該平板スピーカーを化粧筺体の他端で略９０度回動する立設操作することで該平板スピーカーの表面を話し相手側に向けるとともに基部ハンドル部に内蔵されたマイクロホンに音声を入力し拡声された音声を平板スピーカーを介して提供可能となし、また、前記拡声器を持ち運ぶ際には前記平板スピーカーを折りたたんででスピーカー収納部兼用基部ハンドル内に納めることにより全体として拡声器が小型の平板形状体となり、該平板形状体の拡声器は上着や作業服のポケットに挿入して持ち運び可能な大きさに設定されていることが好ましい。
【００３７】
また、本発明における拡声器の外観形状を形付ける化粧筺体は、該化粧筺本体に対して任意に摺動して伸長可能なハンドルと二本の支持アームを突出した形状のコの字形状化粧筺本体からなり、該コの字形状化粧筺本体の内部にはマイクロホン、並びに乾電池や蓄電池からなる電源装置を内蔵し、該コの字形状化粧筺本体の上下端部から突出して設けられる前記二本の支持アーム間に音源が面音源タイプの平板スピーカーと平板形状の増幅器を挟持しそれぞれ回転軸を介して回動可能に取り付けられており前記化粧筺本体と平板形状の増幅器に内蔵されたマイクロホン、増幅器、並びに乾電池や蓄電池からなる電源装置に接続されて拡声器を構成し、該拡声器を使用する際に話し手は化粧筺本体に取り付けられたハンドルを握って前記平板形状スピーカーと平板形状の増幅器を開口し互いに支持アーム間で平板スピーカーと平板形状の増幅器を略９０度回動操作することで該平板スピーカーの表面を話し相手側に向けるとともに化粧筺本体に内蔵されたマイクロホンに音声を入力し拡声された音声を平板スピーカーを介して提供可能となし、また、前記拡声器を持ち運ぶ際には前記平板スピーカーと増幅器を支持アーム間で回動操作して閉じることにより該支持アーム間に納め全体として拡声器が小型の平板形状体となり、該平板形状体の拡声器は上着や作業服のポケットに挿入して持ち運び可能な大きさに設定されていることが好ましい。
【００３８】
また、本発明における拡声器は、上着や作業服にポケットに挿入して持ち運び平板スピーカーを支持アーム間で略９０度回動操作した状態や、平板スピーカーを化粧筺体の他端で略９０度回動する立設した状態、並びに平板形状スピーカーと平板形状の増幅器を開口し互いに支持アーム間で平板スピーカーと平板形状の増幅器を略９０度回動操作した状態より、机上や演台に安定して載せ置くことが可能で、該机上や演台に載せ置いた状態にて拡声器として使用できることが好ましい。
【００３９】
また、本発明における拡声器の大きさは、全体として上着や作業服のポケットに入る大きさより幾分大きくＢ５版乃至Ａ４版程度のブック形状平板形状体となし、該平板形状体の拡声器は紐やベルトを介して使用者が肩に掛けて携帯し、または持ち運びをすると共に、該拡声器を使用するに際しては肩掛けや首や手首に掛けて保持し、或いはリックサック等に取り付けて拡声器本体を保持し話声を拡声して伝えることができる構成が好ましい。
【００４０】
また、本発明における拡声器の大きさは、Ｂ５版乃至Ａ４版程度の大きさに構成することにより平面スピーカー裏面に増幅器や乾電池や蓄電池からなる電源装置を内蔵でき、該平面スピーカーをカバーする化粧筺体を介して全体形状が平板形状体とする構成が好ましい。
【００４１】
また、本発明における拡声器の大きさは、Ｂ５版乃至Ａ４版程度の大きさに構成し平面スピーカー裏面に増幅器や乾電池や蓄電池からなる電源装置を内蔵し、
該平面スピーカーをカバーする化粧筺体を介して全体形状が平板形状体となし、該平面形状体の拡声器を２枚一組となしそれぞれの端部を丁番、或いは回転軸を介して折りたたみ、または開閉可能に構成したことが好ましい。
【００４２】
また、本発明における平板形状体を形成した平板スピーカーを有する携帯用拡声器は、壁面に壁掛け用として取り付け可能にした構成が好ましい。
【００４３】
また、本発明における携帯用拡声器は、スタンドや三脚によって床面や机上に設置された状態で拡声器として使用できる構成が好ましい。
【００４４】
更にまた、本発明おける拡声器に使用されるマイクロホンは、コードレスマイクやのコードレスハンドフリーマイクを用いることが好ましい。
【実施例１】
【００４５】
図１（ａ）乃至図１（ｄ）は、本発明の携帯用拡声器の実施例１を説明するものであり、図１（ａ）は本発明に係る携帯用拡声器の正面外形図、図１（ｂ）は本発明に係る携帯用拡声器の裏面外形図、図１（ｃ）は本発明に係る携帯用拡声器を操作して話し手が使用できる状態とした時の外形説明図、図１（ｄ）は話し手が本発明の携帯用拡声器を使用している状態を示す操作説明図である。
【００４６】
図１（ａ）乃至図１（ｄ）において、１は実施例１の携帯用拡声器全体形状を示し、該携帯用拡声器１は外観形状を形付ける化粧筺体２と基部ハンドル３、該基部ハンドル３から互いに同方向に突出して設けられた支持アーム４ａ、４ｂ、並びに、平板スピーカー５からなる。
【００４７】
そして、前記平板スピーカー５は、基部ハンドル３から突出して設けられた支持アーム４ａ、４ｂに挟持され、回転軸６ａ、６ｂを介して基部ハンドル３に対して回転可能に設けられており、該平板スピーカー５は、音を出力する平板スピーカー表面７と平板スピーカー裏面８を有している。
【００４８】
また、９は前記基部ハンドル３の上部に内蔵されたマイクロホンであり、該マイクロホン９は、場合により外付けでコード付き形状のもの、或いはワイヤーレスマイクやハンドフリーのワイヤーレスマイクを任意に選択して採用することができる。
【００４９】
而して、本発明の実施例１においては、携帯用拡声器１の外観形状を形付ける化粧筺体２は、二本の支持アーム４ａ、４ｂを突出した形状でコの字形状となる化粧筺体２を形成し、該コの字形状化粧筺体２の基部ハンドル３内部にはマイクロホン９、増幅器１０、並びに乾電池や蓄電池からなる電源装置１１を内蔵している。
【００５０】
尚、図１（ａ）乃至図（ｄ）において、１２ａ、１２ｂは増幅器１０からの熱を逃がすための開口孔部、１３は電源スィッチ確認灯で、本実施例１において、乾電池や蓄電池からなる電源装置１１のＯＮ、ＯＦＦは、前記平板スピーカー５を図１（ａ）の状態から、該平板スピーカー５を図１（ｃ）の状態に回動した際にＯＮとなり、携帯用拡声器１を携帯するために図１（ａ）の状態に戻した際にＯＦＦとなるよう電源スィッチ（図示せず）が組み込まれている。
【００５１】
そして、化粧筺体２の基部ハンドル３から突出して設けられる前記二本の支持アーム４ａ、４ｂ間に、音源が面音源タイプの平板スピーカー５を挟持して回転軸６ａ、６ｂを介して回動可能に取り付けて、前記基部ハンドル３に内蔵されたマイクロホン９、増幅器１０、並びに乾電池や蓄電池からなる電源装置１１に接続されて携帯用拡声器１を構成しているものである。
【００５２】
また、前記平板スピーカー５は、従来型の携帯用拡声器のスピーカーが、音源が点と見なされる通常のコーンスピーカーを使用しているのに対して、本発明の実施例１においては、例えば、特許第３１９２３７２号公報の如く、音源が面音源タイプの平板スピーカー５を使用することにより、該平板スピーカー５からの距離による音の拡散や音の大きさの減衰が少なく、音質を著しく改善できるものを使用している。
【００５３】
また、本発明に使用される平板スピーカー５の本体形状は、内蔵ユニットで厚さ最小１．５ｍｍから最大で８ｍｍと云うカード形状に近い小型の平板形状板を採用することのより、該スピーカーを化粧筺体２でカバーしても薄型の平板スピーカー５が製作でき、該平板スピーカー５を組み込んだ携帯用拡声器１は、簡単に折りたたんで小型の平板形状体となし、衣服のポケット等に収納して携帯することができ、気軽に身につけて持ち運びが容易な携帯用拡声器である。
【００５４】
斯くして、実施例１の拡声器１を使用する際に、話し手は、図１（ｃ）、（ｄ）の如く基部ハンドル３を握って、前記平板スピーカー５を支持アーム４ａ、４ｂ間で、略９０度回動操作する。
【００５５】
そして、本発明は、図１（ｄ）の如く、平板スピーカー５の表面７を話し相手側に向けるとともに、基部ハンドル３に内蔵されたマイクロホン９に音声を入力し、拡声された音声を平板スピーカー５を介して話相手に提供可能とした。
【００５６】
また、前記携帯用拡声器１を持ち運ぶ際には、該平板スピーカー５を支持アーム４ａ、４ｂ間で回動操作して、二本の支持アーム４ａ、４ｂ間内に納めることにより全体として携帯用拡声器１が、図１（ａ）、図１（ｂ）の如く小型の平板形状体となり、該平板形状体の拡声器１は、上着や作業服のポケットに挿入して持ち運び可能な大きさに設定されている。
【００５７】
また、実施例１の携帯用拡声器１は、上着や作業服にポケットに挿入して持ち運び平板スピーカー５を二本の支持アーム４ａ、４ｂ間で略９０度回動操作する、所謂拡声器の使用状態において、机上や演台に安定して載せ置くことが可能で、該机上や演台に載せ置いた状態にて拡声器１として使用できる携帯用拡声器である。
【００５８】
更にまた、実施例１における軽量で小型の携帯用拡声器１は、スタンドや三脚によって床面や机上に設置された状態で拡声器１として使用できるものである。
【実施例２】
【００５９】
図２（ａ）乃至図２（ｃ）は、本発明の携帯用拡声器の実施例２を説明するものであり、図２（ａ）は本発明に係る携帯用拡声器の外形図、図２（ｂ）は本発明に係る携帯用拡声器を操作して話し手が使用できる状態とした時の外形説明図、図２（ｃ）は話し手が本発明の携帯用拡声器を使用している状態を示す操作説明図である。
【００６０】
図２（ａ）乃至図２（ｃ）において、実施例１と同一符号は、同一構成要素を示し、１は実施例２の携帯用拡声器全体形状を示し、該拡声器１は外観形状を形付ける化粧筺体２と平板スピーカー収納部兼用基部ハンドル１４を有し、該基部ハンドル１４は、化粧筺体２の一端側縁部１５に設けた突部１６と、該突部１６から段差を有して薄厚形状となる平板スピーカー収納部兼用基部ハンドル１４、そして薄厚形状の平板スピーカー収納部兼用基部ハンドル１４の端部に丁番１７、或いは回転軸１８を介して折りたたみ、または、立設可能に装着された平板スピーカー５からなる。
尚、平板スピーカー５は、音を出力する平板スピーカー表面７と平板スピーカー裏面８を有している。
【００６１】
また、９は前記突部１５の上部に内蔵されたマイクロホンであり、該マイクロホン９は、場合により外付けでコード付き形状のもの、或いはワイヤーレスマイクやハンドフリーのワイヤーレスマイクを任意に選択して採用することができる。
【００６２】
而して、本発明の実施例２においては、携帯用拡声器１の外観形状を形付ける化粧筺体２は、突部１６内部に前記マイクロホン９、増幅器１０、並びに乾電池や蓄電池からなる電源装置１１を内蔵している。
【００６３】
尚、図２（ａ）乃至図（ｃ）において、１２ａ、１２ｂは増幅器９からの熱を逃がすための開口孔部で、本実施例２において、乾電池や蓄電池からなる電源装置１１のＯＮ、ＯＦＦは、前記平板スピーカー５を図２（ａ）の状態から、該平板スピーカー５を図２（ｂ）、または図２（ｃ）の状態に回動立設した際にＯＮとなり、携帯用拡声器１を携帯するために図２（ａ）の状態に戻した際にＯＦＦとなるよう電源スィッチ（図示せず）が組み込まれている。
【００６４】
また、前記平板スピーカー５は、従来型の携帯用拡声器のスピーカーが、音源が点と見なされる通常のコーンスピーカーを使用しているのに対して、本発明の実施例２においては、例えば、特許第３１９２３７２号公報の如く、音源が面音源タイプの平板スピーカー５を使用することにより、該平板スピーカー５からの距離による音の拡散や音の大きさの減衰が少なく、音質を著しく改善できるものを使用している。
【００６５】
また、本発明に使用される平板スピーカー５の本体形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカー５が製作でき、該平板スピーカー５を組み込んだ携帯用拡声器１は、簡単に折りたたんで小型の平板形状体となし、衣服のポケット等に収納して携帯することができ、気軽に身につけて持ち運びが容易な携帯用拡声器である。
【００６６】
斯くして、実施例２の拡声器１を使用する際に、話し手は、図２（ｂ）、（ｃ）の如く平板スピーカー収納部兼用基部ハンドル１４を握って、前記平板スピーカー５を前記平板スピーカー収納部兼用基部ハンドル１４上で、略９０度回動操作して立設する。
【００６７】
本発明は、図２（ｃ）の如く、平板スピーカー５を立設して、平板スピーカーの表面７を話し相手側に向けるとともに、平板スピーカー収納部兼用基部ハンドル１４の突部１６に内蔵されたマイクロホン９に音声を入力し、拡声された音声を平板スピーカー５を介して話相手に提供可能とした。
【００６８】
また、前記携帯用拡声器１を持ち運ぶ際には、前記平板スピーカー５を平板スピーカー収納部兼用基部ハンドル１４上で図２（ａ）の如く折りたたみ納めることにより全体として携帯用拡声器１が、図２（ａ）の如く小型の平板形状体となり、該平板形状体の拡声器１は、上着や作業服のポケットに挿入して持ち運び可能な大きさに設定されている。
【００６９】
また、実施例２における拡声器１は、上着や作業服にポケットに挿入して持ち運び平板スピーカーを平板スピーカー収納部兼用基部ハンドル１４上で略９０度回動して立設した状態となし、机上や演台に安定して載せ置くことが可能で、該机上や演台に載せ置いた状態にて拡声器１として使用できるものである。
【００７０】
そして、実施例２における軽量で小型の携帯用拡声器１は、スタンドや三脚によって床面や机上に設置された状態で拡声器１として使用できるものである。
【実施例３】
【００７１】
図３（ａ）乃至図３（ｃ）は、本発明の携帯用拡声器の実施例３を説明するものであり、図３（ａ）は本発明に係る携帯用拡声器の外形図、図３（ｂ）は本発明に係る携帯用拡声器を操作して話し手が使用できる状態とした時の外形説明図、図３（ｃ）は話し手が本発明の携帯用拡声器を使用している状態を示す操作説明図である。
【００７２】
図３（ａ）乃至図３（ｃ）において、実施例１と同一符号は、同一構成要素を示し、１は実施例２の携帯用拡声器全体形状を示し、該携帯用拡声器１は拡声器の外観形状を形付ける化粧筺本体２０と、該化粧筺本体２０に対して任意に摺動して伸長可能なハンドル１９と、二本の支持アーム２１ａ、２１ｂを突出した形状のコの字形状化粧筺本体２０からなり、該コの字形状化粧筺本体２０の内部にはマイクロホン９、並びに乾電池や蓄電池からなる電源装置１１を内蔵している。
【００７３】
そして、前記コの字形状化粧筺本体２０の上下端部から突出して設けられる前記二本の支持アーム２１ａ、２１ｂ間に音源が面音源タイプの平板スピーカー５と平板形状の増幅器２２を挟持し、それぞれ回転軸２３ａ、２３ｂを介して回動可能に取り付けられている。
尚、平板スピーカー５は、音を出力する平板スピーカー表面７と平板スピーカー裏面８を有している。
【００７４】
また、９は前記化粧筺本体２０の上部に内蔵されたマイクロホンであり、該マイクロホン９は、場合により外付けでコード付き形状のもの、或いはワイヤーレスマイクやハンドフリーのワイヤーレスマイクを任意に選択して採用することができる。
【００７５】
尚、図３（ａ）乃至図（ｃ）において、１２ａ、１２ｂは増幅器２２からの熱を逃がすための開口孔部で、本実施例３において、乾電池や蓄電池からなる電源装置１１のＯＮ、ＯＦＦは、前記平板スピーカー５を図２（ａ）の状態から、該平板スピーカー５を図３（ｂ）、または図３（ｃ）の状態に回動立設した際にＯＮとなり、携帯用拡声器１を携帯するために図３（ａ）の状態に戻した際にＯＦＦとなるよう電源スィッチ（図示せず）が組み込まれている。
【００７６】
また、前記平板スピーカー５は、従来型の携帯用拡声器のスピーカーが、音源が点と見なされる通常のコーンスピーカーを使用しているのに対して、本発明の実施例２においては、例えば、特許第３１９２３７２号公報の如く、音源が面音源タイプの平板スピーカー５を使用することにより、該平板スピーカー５からの距離による音の拡散や音の大きさの減衰が少なく、音質を著しく改善できるものを使用している。
【００７７】
また、本発明に使用される平板スピーカー５の本体形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカー５が製作でき、該平板スピーカー５を組み込んだ携帯用拡声器１は、簡単に折りたたんで小型の平板形状体となし、衣服のポケット等に収納して携帯することができ、気軽に身につけて持ち運びが容易な携帯用拡声器１である。
【００７８】
斯くして、実施例３の携帯用拡声器１を使用する際に、話し手は、図３（ｂ）、（ｃ）の如くハンドル１９を握って、前記平板スピーカー５並びに増幅器２２をそれぞれ略９０度回動操作して開口する。
【００７９】
本発明は、図３（ｃ）の如く、平板スピーカー５を開口して、平板スピーカーの表面７を話し相手側に向けるとともに、前記化粧筺本体２０の上部にに内蔵されたマイクロホン９に音声を入力し、拡声された音声を平板スピーカー５を介して話相手に提供可能とした。
【００８０】
また、前記拡声器１を持ち運ぶ際には、前記平板スピーカー５を平板スピーカー収納部兼用基部ハンドル１４上で図３（ａ）の如く折りたたむことで、全体として携帯用拡声器１が、図３（ａ）の如く小型の平板形状体となり、該平板形状体の拡声器１は、上着や作業服のポケットに挿入して持ち運び可能な大きさに設定されている。
【００８１】
また、実施例３における拡声器１は、上着や作業服にポケットに挿入して持ち運び平板形状スピーカー５と平板形状の増幅器２２を開口して、互いに支持アーム２１ａ、２１ｂ間で平板スピーカー５と平板形状の増幅器２２を略９０度回動操作した状態となし、ハンドル１９は引き出さない状態で、机上や演台に安定して載せ置くことが可能で、該机上や演台に載せ置いた状態にて拡声器１として使用できる。
【００８２】
そして、実施例３における軽量で小型の携帯用拡声器１は、スタンドや三脚によって床面や机上に設置された状態で拡声器１として使用できるものである。
【００８３】
而して、本発明における実施例１乃至実施例３までを説明してきたが、上記実施例１乃至３に共通する他の応用実施例として、本発明は、携帯用拡声器１の大きさを全体として上着や作業服のポケットに入る大きさより幾分大きく構成し、折り畳んだ時にＢ５版乃至Ａ４版程度のブック形状平板形状体とする。
【００８４】
そして、上記平板形状体の携帯用拡声器１は紐やベルトを介して使用者が肩に掛けて携帯し、または持ち運びをすると共に、該拡声器１を使用するに際しては肩に掛け携帯し、または持ち運びをすると共に、該携帯用拡声器１を使用するに際しては、肩掛けや、首や手首に掛けて保持し、或いはリックサック等にに取り付けて拡声器１本体を自分で保持して、話声を拡声して伝えることもできる。
【実施例４】
【００８５】
図４（ａ）乃至図４（ｄ）は、本発明の携帯用拡声器の実施例４を説明するものであり、図４（ａ）は本発明に係る携帯用拡声器の外形図、図４（ｂ）は図４（ａ）を折り畳んだ状態を示す外形説明図、図４（ｃ）、（ｄ）は、話し手が本発明の携帯用拡声器を使用している状態を示す操作説明図である。
【００８６】
図４（ａ）乃至図４（ｄ）において、２４は実施例４の携帯用拡声器２４を示し、２５ａ、２５ｂはそれぞれ内部にマイクロホンや増幅器、並びに乾電池や蓄電池からなる電源装置を内蔵した平板スピーカー、２６は前記二枚の平板スピーカー２５ａ、２５ｂを互いに折りたたみ、図４（ｂ）の如くブック形状の携帯用スタイルに変化させるための丁番、７は平板スピーカー２５ａ、２５ｂの平板スピーカー表面、８は平板スピーカー２５ａ、２５ｂの平板スピーカー裏面を示している。
【００８７】
而して、実施例４における拡声器２４、２４のそれぞれの大きさは、Ｂ５版乃至Ａ４版程度の大きさに構成することにより平面スピーカー裏面に増幅器１０や乾電池や蓄電池からなる電源装置１１を十分に内蔵でき、該平面スピーカー２５ａ、２５ｂをカバーする化粧筺体を介しても全体形状が薄厚の平板形状体とするものである。
【００８８】
そして、本発明に使用される前記平面スピーカー２５ａ、２５ｂの本体形状は、内蔵ユニットで厚さ最小１．５ｍｍから最大で８ｍｍと云うカード形状に近い小型の平板形状板を採用することにより、該スピーカーを化粧筺体でカバーしても薄型の平板スピーカー２５ａ、２５ｂが製作でき、該平板スピーカー２５ａ、２５ｂを組み込んだ携帯用拡声器２４、２４は、簡単に折りたたんで小型の平板形状体となし、気軽に身につけて持ち運びが容易な携帯用拡声器２４となる。
【００８９】
本発明の実施例４の図４（ａ）、（ｂ）に示す携帯用拡声器２４の大きさは、Ｂ５版乃至Ａ４版程度の大きさに構成し、平面スピーカー裏面に増幅器や乾電池や蓄電池からなる電源装置を内蔵し、該平面スピーカー２５ａ、２５ｂをカバーする化粧筺体を介して全体形状が平板形状体となし、該平面形状体の携帯用拡声器２４ａ、２４ｂを２枚一組となし、それぞれを丁番２６、或いは回転軸を介して折りたたみ、または開閉可能に構成した。
【００９０】
そして、上記平板形状体の携帯用拡声器２４は紐やベルト２７を介して使用者が肩に掛けて携帯し、または持ち運びをすると共に、該拡声器２４を使用するに際しては図４（ｃ）の如く首に掛けたり、肩掛け、手首に掛けて保持し、或いは図４（ｃ）の如くリックサック２８に取り付けて携帯用拡声器２４本体を自分で保持して、話声を拡声して伝えるものである。
【００９１】
また、上記実施例４の応用として、単なる一枚の携帯用拡声器２４の大きさをＢ５版乃至Ａ４版程度の大きさに構成することにより、平面スピーカー裏面に増幅器や乾電池からなる電源装置を内蔵すると共に、該平面スピーカーをカバーする化粧筺体を介して、全体形状が一枚の平板形状体の携帯用拡声器２４とすることも可能である。
【００９２】
また、本発明の実施例においては、携帯用拡声器２４に使用されるマイクロホンは図４（ｃ）に示す如くコードレスのハンドフリーマイク２９を用いることもでき、この構成は、携帯用拡声器２４の使用用途を拡大することになる。
【００９３】
更にまた、上記平面形状体の携帯用拡声器２４は軽量であることから、スタンドや三脚にて床面に本発明の携帯用拡声器２４を立設して使用できること、並びに新しい使用方法として、平板形状体を形成した平板スピーカーを有する携帯用拡声器は、壁面に壁掛け用として取り付けて使用すること等も本発明の応用実施例である。
【産業上の利用可能性】
【００９４】
而して、本発明は、音源が面音源タイプの平板スピーカーを使用することにより、該平板スピーカーからの距離による音の拡散や音の大きさの減衰が少なく音質を著しく改善した携帯用拡声器を提供することが可能である。
【００９５】
また、本発明に使用される平板スピーカー本体の形状は、内蔵ユニットで厚さ最小１．５ｍｍから最大で８ｍｍと云うカード形状に近い小型の平板形状板を採用することのより、該スピーカーを化粧筺体でカバーしても薄型の平板スピーカーが製作でき、該平板スピーカーを組み込んだ携帯用拡声器は、簡単に折りたたんで小型の平板形状体となし、衣服のポケット等に収納して携帯することの可能な携帯用拡声器を提供することができた。
【００９６】
また、本発明は、簡単に折りたたんで比較的小型で薄厚の平板形状体となし、該平板形状体は、紐やベルトを介して肩に掛けて携帯することの可能な携帯用拡声器を提供することができた。
【００９７】
また、本発明は、気軽に身につけて持ち運びが容易であり、また、一人で操作して使用できる携帯用拡声器を提供することで、該携帯用拡声器を使用する用途が拡大して、例えば、教員や保母さんの生徒や幼児引率に、そして、セミナー、研修、会議、建設現場での朝礼、キャンペーン、ツアーガイド、スポーツインストラクター、各種宣伝販売活動等の道具として利用されるばかりでなく、災害時の避難誘導や犯罪に巻き込まれたときの緊急発声手段として、或いは、声の出しづらい障害を持つ人や難聴者との携帯用会話補助装置として大いに役に立つ携帯用拡声器を提供するものである。
【００９８】
そして、本発明の拡声器は、机上や演台上に載せ置いて使用できたり、壁に掛けて設置したり、スタンドや三脚等にも設置できるもので、その使用形態により本発明は非常に幅の広い携帯用拡声器を提供することができるもので、その産業上の利用価値は頗る大きい。
【図面の簡単な説明】
【００９９】
【図１】本発明の実施例１を説明する外形説明図である。
【図２】本発明の実施例２を説明する外形説明図である。
【図３】本発明の実施例３を説明する外形説明図である。
【図４】本発明の実施例４を示す説明図である。
【符号の説明】
【０１００】
１  携帯用拡声器
２  化粧筺体
３  基部ハンドル
４ａ、４ｂ  支持アーム
５  平板スピーカー
６ａ、６ｂ  回転軸
７  平板スピーカー表面
８  平板スピーカー裏面
９  マイクロホン
１０  増幅器
１１  乾電池や蓄電池からなる電源装置
１２ａ、１２ｂ  開口孔部
１３  電源スィッチ確認灯
１４  平板スピーカー収納部兼用基部ハンドル
１５  化粧筺体の一端側縁部
１６  突部  
１７  丁番
１８  回転軸
１９  ハンドル
２０  化粧筺体本体
２１ａ、２１ｂ  支持アーム
２２  増幅器
２３ａ、２３ｂ  回転軸
２４  携帯用拡声器
２５ａ、２５ｂ  平板スピーカー
２６  丁番
２７  紐やベルト
２８  リックサック
２９  フリーハンドマイク
【図１ａ】
2008099062.tif 000003
【図１ｂ】
2008099062.tif 000004
【図１ｃ】
2008099062.tif 000005
【図１ｄ】
2008099062.tif 000006
【図２ａ】
2008099062.tif 000007
【図２ｂ】
2008099062.tif 000008
【図２ｃ】
2008099062.tif 000009
【図３ａ】
2008099062.tif 000010
【図３ｂ】
2008099062.tif 000011
【図３ｃ】
2008099062.tif 000012
【図４ａ】
2008099062.tif 000013
【図４ｂ】
2008099062.tif 000014
【図４ｃ】
2008099062.tif 000015
【図４ｄ】
2008099062.tif 000016
【手続補正書】
【提出日】平成18年11月16日(2006.11.16)
【手続補正１】
【補正対象書類名】明細書
【補正対象項目名】００９９
【補正方法】変更
【補正の内容】
【００９９】
【図１ａ】本発明に係る携帯用拡声器の正面外形図である。
【図１ｂ】本発明に係る携帯用拡声器の裏面外形図である。
【図１ｃ】本発明に係る携帯用拡声器を操作して話し手が使用できる状態とした時の外形説明図である。
【図１ｄ】本発明の携帯用拡声器を使用している状態を示す操作説明図である。
【図２ａ】本発明に係る携帯用拡声器の外形図である。
【図２ｂ】本発明に係る携帯用拡声器を操作して話し手が使用できる状態とした時の外形説明図である。
【図２ｃ】本発明の携帯用拡声器を使用している状態を示す操作説明図である。
【図３ａ】本発明に係る携帯用拡声器の外形図である。
【図３ｂ】本発明に係る携帯用拡声器を操作して話し手が使用できる状態とした時の外形説明図である。
【図３ｃ】本発明の携帯用拡声器を使用している状態を示す操作説明図である。
【図４ａ】本発明に係る携帯用拡声器の外形図である。
【図４ｂ】図４ａを折り畳んだ状態を示す外形説明図である。
【図４ｃ】本発明の携帯用拡声器を使用している状態を示す操作説明図である。
【図４ｄ】本発明の携帯用拡声器を使用している状態を示す操作説明図である。